(57)【特許請求の範囲】
【請求項１】
紙面に沿って搬送される紙葉類を案内する搬送通路と、前記搬送通路から紙葉類を紙面に沿った移動を伴って紙葉類入口を通して受けとり収納するためのカセット方式の収納部とを有する紙葉類収納装置において、前記収納部の前記紙葉類入口を規定する部分の変形を規制する変形規制手段を設け、前記収納部は、前記紙葉類を収納するためのカセットボックスと、前記カセットボックスに収納された紙葉類から次に収納する紙葉類を分離するためのカセットレールとを有し、前記変形規制手段は、前記搬送通路を形成する部材と前記カセットレールとの間に設けた凹凸嵌合部であることを特徴とする紙葉類収納装置。
【請求項２】
紙面に沿って搬送される紙葉類を案内する搬送通路と、前記搬送通路から紙葉類を紙面に沿った移動を伴って紙葉類入口を通して受けとり収納するためのカセット方式の収納部とを有する紙葉類収納装置において、前記収納部の前記紙葉類入口を規定する部分の変形を規制する変形規制手段を設け、前記収納部は、前記紙葉類を収納するためのカセットボックスと、前記カセットボックスに収納された紙葉類から次に収納する紙葉類を分離するためのカセットレールとを有し、前記変形規制手段は、前記紙葉類収納装置のフレームと前記カセットレールとの間に設けた凹凸嵌合部であることを特徴とする紙葉類収納装置。
【発明の詳細な説明】
【０００１】
【産業上の利用分野】
本発明は，紙，紙幣，手紙，葉書等の紙葉類を収納する装置に関し，詳しくは，収納部の紙葉類を収納する収納部の変形の規制に関する。
【０００２】
【従来の技術】
従来，例えば，図４に示される紙葉類収納装置が知られている。図４を参照して，従来の紙葉類収納装置は，装置の略前面を構成する内側部材５０と，装置の前面の一部と後面を略構成する外側部材６０と，装置の略下部を構成する収納部７０とを備えている。
【０００３】
内側部材５０と，外側部材６０との境界部には，装置正面側に挿入口５３を構成し，この挿入口５３から夫々の壁部によって，収納部７０に至る逆Ｌ字型の搬送通路５４を形成している。
【０００４】
内側部材５０は前方に突出したフロントマスク５１と，フロントマスク５１の後ろ側にインナーシュート５２を備えている。フロントマスク５１上面は挿入口５３の下側とこれに連続する搬送通路５４の下面を形成している。
【０００５】
インナーシュート５２には，搬送通路５４側に位置した磁気ヘッド５５と光学センサー５６とが設けられている。
【０００６】
また，インナーシュート５２の上端と下端には，プーリ５７，５８が夫々設けられ，その間に搬送ベルト５９が懸架されている。
【０００７】
外側部材６０は，搬送通路５４に突出して，紙葉類１００の挿入を検知する挿入検知爪６１が設けられ，インナーシュート５２のプーリ５７に接触するように，ローラ６２及び６３が設けられている。また，外側部材６０の下端寄りに搬送通路５４を水平方向に貫通してソレノイド６４によって駆動されるシャッター爪６５を備えている。また，内側部材５０の光学センサー５６に搬送通路を介して光学センサー６６が設けられている。また，搬送通路５４に突出してエスクロレバー６７と下端に突出した規制片６８が設けられている。
【０００８】
収納部７０は，正面側に，収納された紙葉類から次に収納する紙葉類を分離するためのカセットレール７１を備えている。カセットレール７１の前方には，スタッカプレート７２及びスタッカリンク７３等のスタッカ部材７４を備えている。
【０００９】
カセットレール７１の上方には，プーリ５８と接触するローラ７５が設けられている。収納された紙葉類１００は，カセットスプリング７７によって，カセットプレート７６を介して，装置の正面側に付勢されている。
【００１０】
【発明が解決しようとする課題】
図４の紙葉類収納装置においては，収納部７０を装着したときに左右のカセットレール７１の相互間隔が少ない場合，搬送通路５４を通して紙面に沿って搬送された紙葉類がカセットレール７１の入口部分で引っ掛かり，詰まりを起こしてしまう。一方，広い場合は収納して積層した紙葉類が搬送通路面側に飛び出してしまい，次に搬送してきた紙葉類の先端が引っ掛かり詰まりを起こしてしまう。また収納部７０の紙葉類の収納量が多くなってきた場合，スタッカプレート７２による押圧力で収納部７０が変形し，この場合にも紙葉類に詰まりが生じる虞がある。このように収納部７０，特に，カセットレール７１の紙葉類の入口部分には厳密な寸法管理が要求される。
【００１１】
それ故に本発明の課題は，カセット方式の収納部を使用しているにもかかわらず，収納部の紙葉類の入口部分の変形を阻止して紙葉類の詰まりを防止した紙葉類収納装置を提供することにある。
【００１２】
【課題を解決するための手段】
本発明によれば、紙面に沿って搬送される紙葉類を案内する搬送通路と、前記搬送通路から紙葉類を紙面に沿った移動を伴って紙葉類入口を通して受けとり収納するためのカセット方式の収納部とを有する紙葉類収納装置において、前記収納部の前記紙葉類入口を規定する部分の変形を規制する変形規制手段を設け、前記収納部は、前記紙葉類を収納するためのカセットボックスと、前記カセットボックスに収納された紙葉類から次に収納する紙葉類を分離するためのカセットレールとを有し、前記変形規制手段は、前記搬送通路を形成する部材と前記カセットレールとの間に設けた凹凸嵌合部であることを特徴とする紙葉類収納装置が得られる。
また本発明によれば、紙面に沿って搬送される紙葉類を案内する搬送通路と、前記搬送通路から紙葉類を紙面に沿った移動を伴って紙葉類入口を通して受けとり収納するためのカセット方式の収納部とを有する紙葉類収納装置において、前記収納部の前記紙葉類入口を規定する部分の変形を規制する変形規制手段を設け、前記収納部は、前記紙葉類を収納するためのカセットボックスと、前記カセットボックスに収納された紙葉類から次に収納する紙葉類を分離するためのカセットレールとを有し、前記変形規制手段は、前記紙葉類収納装置のフレームと前記カセットレールとの間に設けた凹凸嵌合部であることを特徴とする紙葉類収納装置が得られる。
【００１３】
【実施例】
以下，本発明の実施例について，図面を参照して説明する。
【００１４】
図１は本発明の一実施例による紙葉類収納装置を示す側断面図である。この紙葉類収納装置は，挿入口から下方の正面部分を略構成する内側部材５０と，挿入口から上方の正面部分の一部と後面部分を略構成する外側部材６０と，紙葉類を収納する収納部７０とを備えている。内側部材５０と，外側部材６０との境界部には，装置正面側に挿入口５３を構成し，この挿入口５３から夫々の壁部によって，収納部７０に至る逆Ｌ字型の搬送通路５４を形成している。
【００１５】
内側部材５０は，前方に突出したフロントマスク５１と，フロントマスク５１の後側にインナーシュート５２を備えている。フロントマスク５１の上面は挿入口５３の下側とこれに連続する搬送通路５４の下面を形成している。インナーシュート５２には，搬送通路５４側に位置した磁気ヘッド５５と光学センサー５６とが設けられている。
【００１６】
また，インナーシュート５２の上端と下端には，プーリ５７，５８が夫々設けられ，その間に搬送ベルト５９が懸架されている。
【００１７】
外側部材６０の一部は，インナーシュート５２に対向してアウターシュートを形成し，インナーシュート５２とともに搬送通路５４を形成している。外側部材６０には，搬送通路５４に突出して，紙葉類の挿入を検知する挿入検知爪６１が設けられ，内側部材５０のプーリ５７に接触するように，ローラ６２及び６３が設けられている。また，内側部材５０の光学センサー５６に搬送通路５４を介して対向して光学センサー６６が設けられている。また，搬送通路５４に突出したシャッタ爪６５が設けられている。シャッタ爪６５は，図示しないソレノイドによって駆動され，紙葉類を収納したときに搬送通路５４を遮断するものである。シャッタ爪６５の下方には公知のエスクロレバー６７が設けられている。
【００１８】
また下端には下方に突出した規制片６８が設けられている。規制片６８は支点軸６９の回りに回動可能であり，収納部７０に紙葉類が収納される毎に往復回動し，かつ収納された紙葉類が正面側へ移動しないように，即ち，搬送通路に出ないように規制するものである。
【００１９】
収納部７０は，正面側に，収納された紙葉類から次に収納する紙葉類を分離するためのカセットレール７１を従来と同様に備えている。カセットレール７１の前方には，スタッカプレート７２及びスタッカリンク７３等のスタッカ部材７４を備えている。アウターシュートの下方には，プーリ５８と接触するローラ７５が設けられている。収納された紙葉類１００は，カセットスプリング７７によって，カセットプレート７６を介して，装置正面側に付勢されている。以上までは，従来と構成がほぼ同じである。
【００２０】
さらに図２及び図３をも参照して，収納部７０は搬送通路５４から紙葉類を紙面に沿った移動を伴って紙葉類入口８１を通して受けとり収納するためのものであり，装置フレーム８２に対し着脱自在のカセット方式にされている。具体的には，収納部７０はカセットレール７１に一体に接続されたカセットボックス８３を含み，装置フレーム８２から取り外して移動可能なものである。装置フレーム８２に収納部７０を装着するには，まずカセットボックス８３の下部を装置フレーム８２の下部に引っ掛け，この部分を中心として収納部７０を図２における時計回りに回動させ，搬送通路５４を形成する部材８４にカセットレール７１を図２に鎖線で示すように合せる。
【００２１】
カセットレール７１は前面，即ち，図３における下端面を開放面とされている。したがってカセットレール７１の紙葉類入口８１は特に左右方向の寸法に狂いが生じやすい。この問題を解決するため，カセットレール７１の前面上部に凹部８５を形成する一方，部材８４の後面に凹部８５に対応して凸部８６を形成する。凹部８５と凸部８６は収納部７０を正規の位置に装着したときに互いに嵌合し，これにより紙葉類入口８１の寸法の狂いを防止する。即ち，搬送通路５４を形成する部材８４とカセットレール７１との間に凹凸嵌合部が設けられる。この凹凸嵌合部は収納部７０の紙葉類入口８１を規定する部分の変形を規制する変形規制手段を構成する。
【００２２】
なおカセットレール７１に凸部を形成する一方，部材８４に凹部を形成し，これらにより凹凸嵌合部を構成させてもよい。また凹凸嵌合部はカセットレール７１と装置フレーム８２との間に設けてもよい。
【００２３】
【発明の効果】
以上，説明したように，本発明の紙葉類収納装置によれば，収納部の紙葉類の入口部分の変形が阻止されるため，カセット方式の収納部を使用しているにもかかわらず紙葉類の詰まりが防止される。
【図面の簡単な説明】
【図１】本発明の一実施例による紙葉類収納装置を示す側面断面図である。
【図２】図１の紙葉類収納装置の要部のみを，カセット式の収納部を装着する途中の状態で示す側面断面図である。
【図３】図２の紙葉類収納装置の要部のみを，カセット式の収納部を装着した状態で示す平面断面図である。
【図４】図４は従来の紙葉類識別収納装置の一例を示す側断面図である。
【符号の説明】
５０    内側部材
５１    フロントマスク
５２    インナーシュート
５３    挿入口
５４    搬送通路
５５    磁気ヘッド
５６    光学センサー
５７，５８    プーリ
５９    搬送ベルト
６０    外側部材
６１    挿入検知爪
６２，６３    ローラ
６６    光学センサー
６８    規制片
７０    収納部
７１    カセットレール
７２    スタッカプレート
７３    スタッカリンク
７４    スタッカ部材
７５    ローラ
７７    カセットスプリング
８１    紙葉類入口
８２    装置フレーム
８３    カセットボックス
８４    搬送通路を形成する部材
８５    凹部
８６    凸部
１００    紙葉類
【図１】
0003589733.tif 000002
【図２】
0003589733.tif 000003
【図３】
0003589733.tif 000004
【図４】
0003589733.tif 000005